(57)【要約】【課題】通信端末において個人認証を行なう指紋登録照合システム、指紋登録装置、および、通信端末において、セキュリティを向上を図る。【解決手段】携帯通信端末用指紋登録照合システムには、登録端末１および携帯通信端末６が含まれる。登録端末１と携帯通信端末６とは、接続線３で接続されている。登録端末１および携帯通信端末６は、それぞれ、指紋画像を撮像するための指紋センサ２７，４を備えている。登録端末１では、指紋センサ２７で撮像された指紋画像に基づいて登録用指紋データが生成され、当該登録用指紋データは携帯通信端末６に送信される。携帯通信端末６における指紋の照合は、指紋センサ４で撮像された指紋画像に基づいて照合用指紋データが生成され、当該照合用指紋データが登録用指紋データと比較されることにより行なわれる。【選択図】　　　　図１
2004054835.tif 000002
【特許請求の範囲】
【請求項１】
通信端末と、当該通信端末から離間して設けられた指紋登録装置とを含み、
前記指紋登録装置は、指紋画像を撮像する登録用撮像手段と、当該登録用撮像手段が撮像した指紋画像に基づいた画像データである登録用指紋データを生成する第１のデータ生成手段と、前記登録用指紋データを前記通信端末に送信するデータ送信手段とを備え、
前記通信端末は、前記登録用指紋データを記憶する記憶手段と、指紋画像を撮像する照合用撮像手段と、当該照合用撮像手段が撮像した指紋画像に基づいた画像データである照合用指紋データを生成する第２のデータ生成手段と、前記登録用指紋データと前記照合用指紋データとを照合する指紋照合手段とを供える、指紋登録照合システム。
【請求項２】
前記登録用撮像手段は、前記照合用撮像手段よりも広い面積の指紋画像を撮像する、請求項１に記載の指紋登録照合システム。
【請求項３】
指紋画像を撮像する登録用指紋撮像手段と、
前記登録用指紋撮像手段が撮像した指紋画像に基づいた画像データである登録用指紋データを生成するデータ生成手段と、
前記登録用指紋データを、他の装置に送信するデータ送信手段とを含む、指紋登録装置。
【請求項４】
前記他の装置は、前記登録用撮像手段とは異なる所定の撮像手段が撮像された指紋画像に基づいて生成された画像データと前記登録用指紋データとを照合し、
前記登録用指紋撮像手段は、前記所定の撮像手段よりも広い面積の指紋画像を撮像する、請求項３に記載の指紋登録装置。
【請求項５】
他の装置から受信した画像データであって、指紋画像に基づいて生成された登録用指紋データを記憶する記憶手段と、
指紋画像を撮像する照合用指紋撮像手段と、
前記照合用指紋撮像手段が撮像した指紋画像に基づいて、前記登録用指紋データとは異なる画像データである照合用指紋データを生成するデータ生成手段と、前記登録用指紋データと前記照合用指紋データとを照合する指紋照合手段とを含む、通信端末。
【請求項６】
前記登録用指紋データは、前記照合用指紋撮像手段とは異なる所定の撮像手段により撮像された指紋画像に基づいて生成され、
前記所定の撮像手段は、前記照合用指紋撮像手段よりも広い面積の指紋画像を撮像する、請求項５に記載の通信端末。
【発明の詳細な説明】
【０００１】
【発明の属する技術分野】
本発明は、指紋登録照合システム、指紋登録装置、および、通信端末に関し、特に、他の装置と通信が可能な通信端末において指紋の照合を行なう、指紋登録照合システム、指紋登録装置、および、通信端末に関する。
【０００２】
【従来の技術】
従来、特許第２９５８１３号等、通信端末において指紋による個人認証を行なう技術が開示されている。上記特許では、携帯電話機においてそれまで暗証番号等で行なわれていた個人認証が、ユーザの指紋の照合によって行なわれている。
【０００３】
【発明が解決しようとする課題】
しかしながら、従来の携帯電話機を含む通信端末では、暗証番号等の個人認証用のデータの登録は、当該通信端末において行なわれていた。このことから、ある通信端末がそのメインのユーザ（正当所有者）とは別の人間に使用された際、何らかの方法で当該別の人間の個人認証用のデータが登録される等して、当該別の人間が、当該メインのユーザとして認証され、混乱が引き起こされる虞がある。つまり、従来の通信端末では、個人認証について、セキュリティに関して向上を希望される余地があった。
【０００４】
本発明は上述したかかる実情に鑑み考え出されたものであり、その目的は、通信端末において個人認証を行なう指紋登録照合システム、指紋登録装置、および、通信端末において、個人認証の処理のセキュリティを向上を図ることである。
【０００５】
【課題を解決するための手段】
本発明に従った指紋登録照合システムは、通信端末と、当該通信端末から離間して設けられた指紋登録装置とを含む。そして、指紋登録装置では、登録用撮像手段が撮像した指紋画像に基づいて画像データである登録用指紋データが生成され、当該登録用指紋データが通信端末に送信される。そして、通信端末では、照合用撮像手段によって撮像された指紋画像に基づいて画像データである照合用指紋データが生成され、当該照合用指紋データが登録用指紋データと照合される。
【０００６】
本発明に従った指紋登録照合システムによると、通信端末で、個人認証用のデータである登録用指紋データを生成する必要がないため、当該通信端末を、登録用指紋データを生成できないよう構成できる。
【０００７】
本発明に従った指紋登録装置は、指紋画像を撮像し、当該指紋画像に基づいて登録用指紋データを生成し、そして、当該登録用指紋データを他の装置に送信する。
【０００８】
本発明に従った指紋登録装置によると、指紋登録装置は、指紋の照合を行なう通信端末に、個人認証用のデータである登録用指紋データを送信できる。つまり、当該通信端末を、登録用指紋データを生成できないよう構成できる。
【０００９】
本発明に従った通信端末は、撮像した指紋画像に基づいて照合用指紋データを生成し、当該照合用指紋データを、他の装置から受信した登録用指紋データと照合する。
【００１０】
これにより、本発明に従った通信端末は、個人認証用のデータである登録用指紋データを生成する必要がないため、登録用指紋データを生成する機能を持たないよう構成されることができる。
【００１１】
また、本発明の指紋登録照合システム、指紋登録装置、および、通信端末では、登録用指紋データの元となる指紋画像を撮像する撮像手段は、照合用指紋データの元となる指紋画像を撮像する撮像手段よりも、面積の広い指紋画像を撮像できることが好ましい。
【００１２】
これにより、登録用指紋データの方が、照合用指紋データよりも、対応する指紋の面積が広くなる。したがって、指紋の照合が行なわれる場合、登録用指紋データの中の、照合用指紋データの画像パターンに類似した部分のみが選択されて、指紋の照合に利用されても、当該選択された部分が対応する指紋の面積を、照合用指紋データが対応する指紋の面積と同程度とすることができる。
【００１３】
【発明の実施の形態】
以下、図面を参照しつつ、本発明の実施の形態について説明する。なお、以下の説明では、同一の部品には、特記された場合を除き、同一の符号が付され、それらの名称および機能も同じである。したがって、それらについての詳細な説明は繰り返さない。
【００１４】
［第１の実施の形態］
図１は本発明の指紋登録照合システムの第１の実施の形態である携帯通信端末用指紋登録照合システムを模式的に示す図である。本発明の各実施の形態の携帯通信端末用指紋登録照合システムでは、個人を特徴付ける指紋データは、個人の指紋画像を撮像して画像処理により処理された２値指紋画像とされる。
【００１５】
図１に示す携帯通信端末用指紋登録照合システムには、登録端末１および携帯通信端末６が含まれる。登録端末１と携帯通信端末６とは、接続線３で接続されている。
【００１６】
登録端末１は、登録する指紋の画像、指紋データ、および、携帯通信端末６との接続状況を表示する表示画面２を備えている。携帯通信端末６は、照合する指紋画像、指紋データ、登録端末１との接続状況、および、指紋を照合した結果を表示する表示画面５を備えている。また、登録端末１および携帯通信端末６は、それぞれ、指紋画像を撮像するための指紋センサ２７，４を備えている。
【００１７】
図２は、登録端末１に備えられる登録モジュール１３および携帯通信端末６の構成を概略的に示すブロック図である。登録モジュールとは、指紋画像を登録するためのモジュールである。
【００１８】
図２では、照合される指紋の画像が、指紋画像７，２２として示されている。登録モジュール１３は、登録するための指紋画像を撮像し、かつ、撮像した指紋画像から登録者個人を特徴付ける指紋データを抽出するものである。また、登録モジュール１３は、表示画面２を含む表示手段１１と、指紋画像７を撮像する指紋センサ２７を含む登録用指紋撮像手段８と、登録用指紋撮像手段８で撮像した指紋画像から個人を特徴付ける指紋データを抽出する登録用指紋データ抽出手段９と、抽出された指紋データおよび登録処理の指示の表示画面２への表示、登録用指紋データ抽出手段９で抽出された登録用指紋データの登録モジュール１３外部への転送、ならびに、登録モジュール１３の制御信号の送受信を行なう登録用モジュール制御手段１２とを備える。
【００１９】
携帯通信端末６は、照合する指紋画像を撮像し、かつ、撮像した指紋画像から指紋データを抽出する照合用撮像モジュール１８を備える。照合用撮像モジュール１８は、照合用の指紋画像２２を撮像する照合用指紋センサ４を含む照合用指紋撮像手段１９と、照合用指紋撮像手段１９で撮像した指紋画像から指紋データを抽出する照合用指紋データ抽出手段２０と、照合用指紋データ抽出手段２０で抽出された照合用指紋データの照合用撮像モジュール１８外部への転送、および、照合用撮像モジュール１８の制御信号の送受信を行なう撮像モジュール制御手段２１とを備える。
【００２０】
携帯通信端末６は、さらに、照合用撮像モジュール１８から抽出された照合用指紋データと既に携帯通信端１４の正当所有者の指紋データとして登録されている指紋データとの照合および判定を行なう照合処理モジュール２３を備える。
【００２１】
照合処理モジュール２３は、正当所有者であることを示す指紋データを記憶する登録指紋データメモリ２６と、照合用撮像モジュール１８から抽出された指紋データと登録指紋データメモリ２６で記憶されている登録指紋データを読出して照合する照合処理手段２５と、照合処理モジュール２３の外部から転送される登録用指紋データの登録指紋データメモリ２６への転送、照合用撮像モジュール１８で抽出され照合処理モジュール２３に転送されてきた照合用指紋データの照合処理手段２５への転送、照合処理手段２５で照合された結果の照合処理モジュール２３外部への通知、および、照合処理モジュール２３の制御信号を送受信する照合モジュール制御手段２４とを備える。
【００２２】
また、携帯通信端末６は、さらに、当該携帯通信端末６における所有者の電話番号を含む個人情報を管理するメモリ（図示略）と、当該メモリへのアクセス、および、所有者が入力した電話番号や他の携帯通信端末を特定できる番号に基づいて通話や通信を行なうための無線手段へのアクセスの制御を行なう携帯通信端末制御手段１６と、携帯通信端末６における照合処理を制御する認証制御手段１７と、表示画面５を含む表示手段１５とを備える。
【００２３】
携帯通信端末制御手段１６は、認証制御手段１７の動作も制御する。認証制御手段１７は、携帯通信端末６の正当所有者であることを示す登録用指紋データを、携帯通信端末６の外部から入力し、照合処理モジュール２３へ転送する。また、認証制御手段１７は、照合用撮像モジュール１８で抽出された照合用指紋データを照合処理モジュール２３に転送し、照合処理モジュール２３で照合された判定結果を携帯通信端末制御手段１６および表示手段１５へ通知し、当該判定結果を表示画面５で表示させ、照合用撮像モジュール１８、照合処理モジュール２３、および、外部の登録モジュール１３を制御し、さらに、携帯通信端末６における登録処理の指示や照合処理の指示を表示画面５に表示させる機能を備える。
【００２４】
図３は、本実施の形態の携帯通信端末用指紋登録照合システムにおいて、指紋が登録される際の登録処理動作のフローチャートである。図１、図２を用いて携帯通信端末と登録端末を使用した登録動作を示す。
【００２５】
まず、ステップＳ１０１（以下、ステップを省略する）で、登録端末１の表示画面２において、登録者に対して指紋を入力する指示をする情報を表示する。これにより、携帯通信端末６の所有者は、登録対象となる指を、指紋センサ２７上に置く（Ｓ１０２）。
【００２６】
そして、Ｓ１０３で、指紋センサ２７上に置かれた指の指紋画像７を読取り、Ｓ１０４で、登録用指紋データ抽出手段９が指紋画像７から登録用指紋データを抽出し、Ｓ１０５で、抽出された登録用指紋データが、登録モジュール制御手段１２へ転送されて表示画面２に表示される。そして、Ｓ１０６で、表示画面２に表示された登録用指紋データが正しく抽出されているかが判断される。正しく抽出されていなければＳ１０１へ処理が戻され、再び登録端末１の表示画面２で指紋の入力を指示する情報が表示される。一方、正しく抽出されていれば、Ｓ１０７に処理が進められる。
【００２７】
ここで、Ｓ１０４の登録用指紋データの抽出について説明する。登録用指紋データとは、個人を特徴付けるデータである。そして、登録用指紋データの抽出では、多値データ（８ｂｉｔ、つまり、２５６段階の濃淡値）である指紋画像７の２値化が行なわれ、得られた２値の画像データ（１ｂｉｔ、つまり、２段階の濃淡値）が登録用指紋データとされる。なお、登録用指紋データとしては、画像を周波数に変換された際の振幅または位相情報を用いることもできる。
【００２８】
次に、Ｓ１０６における登録用指紋データが正しく抽出されているかが判断の内容について説明する。登録用モジュール制御手段１２には、図４に示すように、指紋画像７全体に対応する指紋画像取得範囲２７１が設定され、当該指紋画像取得範囲２７１内には、指紋データの登録の対象となる範囲である対象範囲２７２が設定されている。対象範囲２７２内には、マトリクス状に、複数の部分領域２７３が設定されている。各部分領域２７３の面積は等しい。そして、Ｓ１０６の判断に際には、まず、２値データである登録用指紋データが、対象範囲２７２内にマッピングされ、部分領域２７３毎に、画素の値（１または０）が計数される。そして、登録用モジュール制御手段１２は、その中にある画素の５０％以上の値が１である部分領域２７３を計数し、その結果が所定の閾値以上であれば、登録用指紋データが正しく抽出されていると判断する。なお、計数する際の種々の閾値は、実際のシステムの環境等により、変更可能である。
【００２９】
再度図１〜図３を参照して、Ｓ１０７では、登録用指紋データを登録端末１から携帯通信端末６へ転送するために、登録端末１の表示画面２に、携帯通信端末６との接続の指示する情報が表示される。
【００３０】
そして、ユーザの指示等によって携帯通信端末６との接続が指示されると、登録端末１と携帯通信端末６とが接続線３を介して接続されるための処理がなされ、Ｓ１０８で、登録端末１の登録モジュール制御手段１２と携帯通信端末６の認証制御手段１７との間で情報の送受信が可能かどうかの確認がなされる。
【００３１】
登録端末１の登録モジュール制御手段１２が携帯通信端末６に情報を送信できることが確認されれば、Ｓ１０９で、登録端末１の表示画面２で送信できる主旨のメッセージが表示される。また、携帯通信端末６の認証制御手段１７で携帯通信端末６からの情報が受信できることが確認されれば、Ｓ１０９で、携帯通信端末６の表示画面５で受信できる主旨のメッセージを表示する。Ｓ１０９の処理が実行された後、Ｓ１１０に処理が移行される。一方、登録端末１と携帯通信端末６との間で接続の状態でなければ（情報の送受信が不可能な場合には）、Ｓ１０８に処理が戻され、再び、登録端末１の表示画面２で携帯通信端末６との接続を指示する情報が表示される。
【００３２】
Ｓ１１０では、携帯通信端末６の認証制御手段１７へ、登録端末１の登録モジュール制御手段１２から登録用指紋データの転送が開始され、登録用指紋データの転送中であることを示す主旨の情報が登録端末１の表示画面２で表示され、携帯通信端末６の表示画面５では受信中の情報が表示される。転送中または受信中の表示は、転送が終了するまで継続される。
【００３３】
Ｓ１１１では、登録端末１側で、登録用指紋データの転送が終了したか否かが確認される。登録用指紋データの転送が終了していなければ、Ｓ１１０における転送のための処理が続行される。そして、登録用指紋データの転送が終了していれば、Ｓ１１２で、登録用指紋データの転送終了の主旨の情報が登録端末１の表示画面２で表示され、また、受信終了の主旨の情報が携帯通信端末６の表示画面５で表示される。
【００３４】
そして、Ｓ１１３で、登録指紋データは、照合モジュール制御手段２４を介して登録指紋データ認証制御手段１７から登録指紋データメモリ２６に転送された後、登録指紋データメモリ２６で記憶される。
【００３５】
次に、本実施の形態の携帯通信端末用指紋登録照合システムにおける指紋の照合時に行なわれる処理について、図５を参照して説明する。図５は、携帯通信端末用指紋登録照合システムにおいて指紋の照合がなされる際の処理動作のフローチャートである。
【００３６】
指紋の照合がなされる際、まず、Ｓ２０１で、携帯通信端末６の表示画面５で指紋の入力を指示する情報が表示される。これにより、ユーザにより、指紋を照合しようとする指が、携帯通信端末６の、指紋センサ４を含む照合用指紋撮像手段１９に置かれる（Ｓ２０２）。
【００３７】
そして、Ｓ２０３で、照合用指紋撮像手段１９において照合する指紋画像２２が読取られ、Ｓ２０４で、照合用指紋データ抽出手段２０が、指紋画像２２から照合用指紋データを抽出する。次に、Ｓ２０５で、登録指紋データメモリ２６に記憶されている登録用指紋データが読出される。そして、Ｓ２０５の処理とほぼ同時に、Ｓ２０６で、登録用指紋データと照合用指紋データの照合中の主旨の情報が表示画面５に表示される。
【００３８】
次に、Ｓ２０７で、照合用指紋データが、撮像モジュール制御手段２１、認証制御手段１７および照合モジュール制御手段２４を介して照合処理手段２５へ転送され、当該照合処理手段２５で、登録用指紋データと照合用指紋データとが比較される。
【００３９】
そして、Ｓ２０８で、照合処理手段２５が、Ｓ２０７における比較の結果を参照する。そして、比較した結果がＳ２０２で指紋を置いたユーザが携帯通信端末６の正当所有者本人であるというものであれば、つまり、指紋画像２２から抽出された照合用指紋データがＳ２０５または後述するＳ２１０で読出された照合用指紋データと同様の特徴を有すると判断された場合、Ｓ２０９に処理が進められる。Ｓ２０９では、正当所有者本人である主旨のメッセージが携帯通信端末６の表示画面５に表示され、携帯通信端末の正当所有者である判別情報が照合モジュール制御手段２４から携帯通信端末制御手段１６に通知され、指紋照合の処理が終了する。一方、比較した結果がＳ２０２で指紋を置いたユーザが携帯通信端末６の正当所有者本人ではないというものであれば、Ｓ２１０に処理が進められる。
【００４０】
Ｓ２１０では、登録指紋データメモリ２６に記憶されている登録用指紋データであって、これまで照合に使用されたものとは別の登録用指紋データが読出しが指示され、Ｓ２１１で、登録指紋データメモリ２６に記憶されている登録用指紋データの残り数の判定が行なわれる。そして、記憶されている登録用指紋データの中でまだ照合に用いられていないものがあると判断されると、処理がＳ２０７に戻され、直前に実行されたＳ２１０の処理に基づいて読出された登録用指紋データを用いたデータの比較がなされる。一方、Ｓ２１１で、記憶されている登録用指紋データが全て照合に用いられ、直前のＳ２１０において指示されても読出すべき登録用指紋データがない場合には、処理は、Ｓ２１２に移行される。
【００４１】
Ｓ２１２では、これ以上照合に用いる登録用指紋データが無い旨のメッセージ、および、照合判定エラーの主旨のメッセージが、携帯通信端末６の表示画面５に表示される。また、Ｓ２１２では、表示画面５に、ユーザに、再度、指紋の照合を行なうか否かを入力させるための情報が表示される。ユーザから入力された情報は、Ｓ２１３で判断される。再度指紋の照合を行なう旨の情報が入力されれば、Ｓ２０１に処理が戻される。一方、これ以上指紋の照合を行なわない旨の情報が入力されると、指紋照合の処理が終了する。
【００４２】
図６（Ａ），図６（Ｂ）に、登録用指紋データ１１１および照合用指紋データ１１２の一例を示す。本実施の形態では、指紋センサ２７において指紋画像を撮像できる領域である登録用撮像領域の面積が、指紋センサ４において指紋画像を撮像できる領域である照合用撮像領域の面積よりも大きくなるように構成されてことが好ましい。これにより、図６（Ａ）および図６（Ｂ）から理解されるように、登録用指紋データ１１１は、照合用指紋データ１１２よりも、広範囲の指紋についての情報を含む。なお、参考として、登録用撮像領域と照合用撮像領域の面積が等しく構成された際の登録用指紋データ１１１および照合用指紋データ１１２を、図７（Ａ）および図７（Ｂ）に示す。図７（Ａ）および図７（Ｂ）に示された場合では、登録用指紋データ１１１と照合用指紋データ１１２とが、同じ面積の指紋についての情報を含む。
【００４３】
登録用指紋データと照合用指紋データとが比較される際（Ｓ２０７）、実際には、照合処理手段２５が、照合用指紋データの画像パターンを認識し、登録用指紋データの中で、照合用指紋データの画像パターンに類似する部分（後述する類似部分１１３）を探し、当該類似部分１１３を、照合用指紋データの比較対象とする。
【００４４】
登録用指紋データ１１１および照合用指紋データ１１２が、図６（Ａ）および図６（Ｂ）に示されたように構成された場合には、類似部分１１３を、高い確率で、照合用指紋データ１１２と同程度の面積の指紋についての情報を含んだものとすることができる。
【００４５】
一方、登録用指紋データ１１１および照合用指紋データ１１２が、図７（Ａ）および図７（Ｂ）に示されたように構成された場合には、類似部分１１３は、指紋センサ４と指紋センサ２７に対して同じ位置関係で指が置かれない限り、照合用指紋データ１１２と同程度の面積の指紋についての情報を含んだものにはならない。
【００４６】
以上のことから、登録用指紋データ１１１および照合用指紋データ１１２が、図６（Ａ）および図６（Ｂ）に示されたように構成された場合、指紋照合時に、照合用指紋データの比較対象とされる登録用指紋データを、対象となる指紋について広い面積に対応するものとすることができるため、指紋照合の精度を向上させることができる。
【００４７】
なお、本実施の形態では、指紋データを、２値化処理された画像としたが、この他にも画像処理により指紋の隆線に着目し、隆線が途切れる点（端点）、隆線が枝分れする点（分岐点）等の指紋画像の特徴点の画像全体における位置、隆線に対する角度、特徴点を中心にした画像領域等を含む特徴点情報や、指紋画像を周波数領域上に変換し、変換された周波数的特徴情報を利用することでも可能である。これらの処理は登録用指紋データ抽出手段９、および、照合用指紋データ抽出手段２０で行なわれる。
【００４８】
また、本実施の形態では、登録モジュール１３と携帯通信端末６の間のデータの送受信は、有線の接続線３を介して行なわれているが、無線による送受信も可能である。
【００４９】
また、以上説明した本実施の形態では、登録端末１は、たとえばパーソナルコンピュータから構成され、携帯通信端末６は、たとえば携帯電話から構成されるが、上記した機能と同様の機能を有する場合には、これらに限定されない。また、携帯通信端末６は、本発明の通信端末の一例であるが、必ずしも、携帯性を必要とされるものではない。
【００５０】
［第２の実施の形態］
次に、本発明の第２の実施の形態について説明する。本実施の形態の携帯通信端末用指紋登録照合システムは、第１の実施の形態の携帯通信端末用指紋登録照合システムを、指紋センサ４、使用者が正当所有者であると特定するために指紋の照合を行なう照合処理モジュール２３、および、指紋照合のために指紋画像２２を撮像する撮像モジュール１８が、携帯通信端末６の本体外に存在するように変更したものである。
【００５１】
図８に、本実施の形態の携帯通信端末用指紋登録照合システムの構成を概略的に示す。また、図９は、本実施の形態の登録モジュール１３、携帯通信端末６、照合処理モジュール２３、および、撮像モジュール１８の構成を概略的に示すブロック図である。
【００５２】
図８に示した携帯通信端末用指紋登録照合システムは、登録端末１、携帯通信端末６、照合処理モジュール２３、および、撮像モジュール１８を含む。図８では、同一の携帯通信端末６について、その表面および裏面がそれぞれ示されている。本実施の形態では、携帯通信端末６の正当所有者を特定するための照合モジュール５３が、携帯用通信端末６とは分離可能に構成されている。照合モジュール５３は、照合処理モジュール２３および撮像モジュール１８を含む装置である。本実施の形態では、照合用の指紋画像を撮像する指紋センサ４は、携帯通信端末６本体上ではなく、照合モジュール５３に、備えられている。
【００５３】
本実施の形態の携帯通信端末６の裏面には、照合モジュール５３との接続に使用する本体接続部６０が備えられている。携帯通信端末の正当所有者の登録処理（図３参照）、および、携帯通信端末の使用者が正当所有者であるかどうかを特定する照合処理（図５参照）が実行される際には、照合モジュール５３は、本体接続部６０に差込まれて使用される。
【００５４】
［第３の実施の形態］
次に、本発明の第３の実施の形態について説明する。本実施の形態の携帯通信端末用指紋登録照合システムは、第１の実施の形態の携帯通信端末用指紋登録照合システムを、使用者が正当所有者であると特定するために指紋の照合を行なう照合処理モジュール２３が、携帯通信端末６の本体外に存在するように変更したものである。
【００５５】
図１０に、本実施の形態の携帯通信端末用指紋登録照合システムの構成を概略的に示す。また、図１１は、本実施の形態の登録モジュール１３、携帯通信端末６、および、照合処理モジュール２３の構成を概略的に示すブロック図である。
【００５６】
図１０に示した携帯通信端末用指紋登録照合システムは、登録端末１、携帯通信端末６、および、照合処理モジュール２３を含む。図１０では、同一の携帯通信端末６について、その表面および裏面がそれぞれ示されている。
【００５７】
本実施の形態の携帯通信端末６の裏面には、照合処理モジュール２３との接続に使用する本体接続部７０が備えられている。携帯通信端末の正当所有者の登録処理（図３参照）、および、携帯通信端末の使用者が正当所有者であるかどうかを特定する照合処理（図５参照）が実行される際には、照合処理モジュール２３は、本体接続部７０に差込まれて使用される。
【００５８】
［第４の実施の形態］
次に、本発明の第４の実施の形態について説明する。本実施の形態の携帯通信端末用指紋登録照合システムは、第１の実施の形態の携帯通信端末用指紋登録照合システムを、照合用撮像モジュール１８が携帯通信端末６の本体外に存在するように変更したものである。
【００５９】
図１２に、本実施の形態の携帯通信端末用指紋登録照合システムの構成を概略的に示す。図１２に示した携帯通信端末用指紋登録照合システムは、登録端末１、携帯通信端末６、および、照合用撮像モジュール１８を含む。また、図１３は、本実施の形態の登録モジュール１３、携帯通信端末６、および、照合用撮像モジュール１８の構成を概略的に示すブロック図である。なお、指紋センサ４は、照合用撮像モジュール１８に含まれている。
【００６０】
本実施の形態の携帯通信端末６には、照合用撮像モジュール１８との接続に使用する本体接続部８０が備えられている。携帯通信端末の正当所有者の登録処理（図３参照）、および、携帯通信端末の使用者が正当所有者であるかどうかを特定する照合処理（図５参照）が実行される際には、照合用撮像モジュール１８は、本体接続部８０に差込まれて使用される。
【００６１】
今回開示された各実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【００６２】
【発明の効果】
以上説明した本発明によると、指紋登録装置が、指紋の照合を行なう通信端末に、個人認証用のデータである登録用指紋データを送信できるため、通信端末で個人認証用のデータである登録用指紋データを生成しなくてもよくなる。つまり、当該通信端末を、登録用指紋データを生成できないよう構成できる。
【００６３】
したがって、ある通信端末がそのメインのユーザ（正当所有者）とは別の人間に使用された際でも、当該別の人間の指紋データが、個人認証用のデータとして登録されることはない。つまり、通信端末を用いて、指紋で、個人認証を行なう場合、認証についてのセキュリティが、向上される。
【００６４】
また、以上説明した本発明によると、指紋の照合が行なわれる場合、登録用指紋データの中の、照合用指紋データの画像パターンに類似した部分のみが選択されて指紋の照合に利用されても、当該選択された部分が対応する指紋の面積を、照合用指紋データが対応する指紋の面積と同程度とすることができる。
【００６５】
したがって、指紋の照合の精度を向上できる。
【図面の簡単な説明】
【図１】指紋登録照合システムの第１の実施の形態一実施例である、携帯通信端末用指紋登録照合システムを模式的に示す図である。
【図２】図１の登録端末の登録モジュール、および、携帯通信端末の構成を概略的に示すブロック図である。
【図３】図１の携帯通信端末用指紋登録照合システムにおいて、指紋が登録される際の登録処理動作のフローチャートである。
【図４】図２の登録用モジュール制御手段１２において設定されている、指紋画像取得範囲、対象範囲、および、部分領域を模式的に示す図である。
【図５】図１の携帯通信端末用指紋登録照合システムにおいて指紋の照合がなされる際の処理動作のフローチャートである。
【図６】図１の携帯通信端末用指紋登録照合システムにおける登録用指紋データおよび照合用指紋データの一例を示す図である。
【図７】図１の携帯通信端末用指紋登録照合システムにおける登録用指紋データおよび照合用指紋データの他の例を示す図である。
【図８】本発明の第２の実施の形態の携帯通信端末用指紋登録照合システムの構成を概略的に示す図である。
【図９】図８の携帯通信端末用指紋登録照合システムの登録モジュール、携帯通信端末、照合処理モジュール、および、撮像モジュールの構成を概略的に示すブロック図である。
【図１０】本発明の第３の実施の形態の携帯通信端末用指紋登録照合システムの構成を概略的に示す図である。
【図１１】図１０の携帯通信端末用指紋登録照合システムの登録モジュール、携帯通信端末、および、照合処理モジュールの構成を概略的に示すブロック図である。
【図１２】本発明の第４の実施の形態の携帯通信端末用指紋登録照合システムの構成を概略的に示す図である。
【図１３】図１２の携帯通信端末用指紋登録照合システムの登録モジュール、携帯通信端末、および、照合用撮像モジュールの構成を概略的に示すブロック図である。
【符号の説明】
１　登録端末、２，５　表示画面、４，２７　指紋センサ、６　携帯通信端末、７，２２　指紋画像、８　登録用指紋撮像手段、９　登録用指紋データ抽出手段、１２　登録用モジュール制御手段、１３　登録用モジュール、１７　照合処理モジュール、１８　照合用撮像モジュール、２３　照合処理モジュール、２４照合モジュール制御手段、２５　照合処理手段、２６　登録指紋データメモリ、５３　照合モジュール、６０，７０，８０　本体接続部、１１１　登録用指紋データ、１１２　照合用指紋データ、１１３　類似部分。
【図１】
2004054835.tif 000003
【図２】
2004054835.tif 000004
【図３】
2004054835.tif 000005
【図４】
2004054835.tif 000006
【図５】
2004054835.tif 000007
【図６】
2004054835.tif 000008
【図７】
2004054835.tif 000009
【図８】
2004054835.tif 000010
【図９】
2004054835.tif 000011
【図１０】
2004054835.tif 000012
【図１１】
2004054835.tif 000013
【図１２】
2004054835.tif 000014
【図１３】
2004054835.tif 000015